(57)【特許請求の範囲】
【請求項１】
内部ディスプレイ装置と、外部ディスプレイ装置との接続手段とを有してなる情報処理装置に於いて、
前記外部ディスプレイ装置との接続手段に前記内部ディスプレイ装置の表示解像度よりも大きな解像度をもつ外部ディスプレイ装置が接続され、前記内部ディスプレイ装置にのみ表示データを表示する表示モードから前記内部ディスプレイ装置に表示される表示データを前記内部ディスプレイ装置および前記外部ディスプレイ装置に表示する表示モードへの切り換えに応じて、第１の記憶部に記憶され前記内部ディスプレイ装置に表示される表示データを第２の記憶部に記憶させ、前記第２の記憶部に記憶された表示データを前記内部ディスプレイ装置に表示される表示データの表示解像度で前記外部記憶装置に表示するとともに、前記外部ディスプレイ装置に表示される表示データの表示部分を除く前記外部ディスプレイ装置の表示領域に所定のデータを表示する制御手段を具備することを特徴とする情報処理装置。
【請求項２】
前記第２の記憶部に記憶された表示データを前記外部ディスプレイ装置の任意の表示位置に表示する設定手段をさらに有することを特徴とする請求項１記載の情報処理装置。
【請求項３】
前記所定のデータは同一色または同一模様で塗り潰す情報であることを特徴とする請求項１記載の情報処理装置。
【請求項４】
内部ディスプレイ装置と外部ディスプレイ装置とを表示ドライブ制御可能な情報処理装置の表示制御方法であって、
内部ディスプレイ装置の表示解像度よりも大きな解像度をもつ外部ディスプレイ装置が前記情報処理装置に接続され、前記内部ディスプレイ装置にのみ表示データを表示する表示モードから前記内部ディスプレイ装置に表示される表示データを前記内部ディスプレイ装置および前記外部ディスプレイ装置に表示する表示モードへの切り換えに応じて、第１の記憶部に記憶され前記内部ディスプレイ装置に表示される表示データを第２の記憶部に記憶させ、前記第２の記憶部に記憶された表示データを前記内部ディスプレイ装置に表示される表示データの表示解像度で前記外部記憶装置に表示するとともに、前記外部ディスプレイ装置に表示される表示データの表示部分を除く前記外部ディスプレイ装置の表示領域に所定のデータを表示することを特徴とする情報処理装置の表示制御方法。
【請求項５】
前記第２の記憶部に記憶された表示データを前記外部ディスプレイ装置の任意の表示位置に表示するよう設定可能であることを特徴とする請求項４記載の表示制御方法。
【請求項６】
前記所定のデータは同一色または同一模様で塗り潰す情報であることを特徴とする請求項４記載の表示制御方法。
【発明の詳細な説明】
【０００１】
【発明の属する技術分野】
本発明は、内部ディスプレイ装置以上の表示解像度をもつ外部ディスプレイ装置が接続可能な例えば携帯型の情報処理装置及び情報処理装置の表示制御方法に関する。
【０００２】
【従来の技術】
近年、ＬＣＤ等の内部ディスプレイ装置を備えた携帯型の情報処理機器が種々開発され使用されている。しかしながら、より携帯性を持たせるために機器の外形サイズを小さくする要求がでている。この種情報処理機器の外形サイズを小さくするためには搭載する各デバイスも小さくする必要があり、表示を行なう内部ディスプレイ装置も小型化の傾向にある。
【０００３】
このように携帯性を重視して機器を小形化することは、内部ディスプレイ装置の画面サイズも同様に小さくなり、使用者が使うときに表示画面が見難いという欠点が生じる。
【０００４】
そこでこの種携帯型の情報処理機器を事務所等で使用するときには、当該情報処理機器に外部ディスプレイを接続して、より大きな画面で作業を行なうことができる製品が開発されている。
【０００５】
従来、上記したような内部ディスプレイ装置をもち、更に外部ディスプレイ装置に表示可能なシステムとして、例えば特開平１−９２７９４号に示す表示制御装置が存在する。図８は、この種、内部ディスプレイ装置をもつ携帯型の情報処理装置を外部ディスプレイ装置（例えばＣＲＴディスプレイ装置）に接続して使用する際の接続構成例を示している。
【０００６】
上記従来技術で挙げた特開平１−９２７９４号の表示制御装置では外部ディスプレイ装置（ＣＲＴディスプレイ装置）と内部ディスプレイ装置（プラズマディスプレイ装置）との解像度が違う表示装置についての制御についてフォントサイズを変えることで対応しているが、携帯型の情報処理機器に於いては、ディスプレイサイズがより小さく、ディスプレイサイズの解像度も内部ディスプレイ装置に比しより小さい。従ってこのような携帯型の情報処理装置に、上記した従来技術によりフォントサイズを変更することで表示解像度の異なる外部ディスプレイ装置との表示対応をとると、内部ディスプレイ装置の表示画面と外部ディスプレイ装置の表示画面とで表示データの縦横比が大きく異なってしまい、歪みの大きい見辛い表示画面となってしまう。また同じフォントを使用して表示させる場合には、内部ディスプレイ装置に適した専用のディスプレイ装置を必要としていた。
【０００７】
【発明が解決しようとする課題】
上記したように従来では、内部ディスプレイ装置以上の表示解像度をもつ外部ディスプレイ装置が接続可能な例えば携帯型の情報処理装置に於いて、従来技術によりフォントサイズを変更することで表示解像度の異なる外部ディスプレイ装置との表示対応をとると、内部ディスプレイ装置の表示画面と外部ディスプレイ装置の表示画面とで表示データの縦横比が大きく異なってしまい、歪みの大きい見辛い表示画面となってしまうという問題があった。また同じフォントを使用して表示させる場合には、内部ディスプレイ装置に適した専用のディスプレイ装置を必要としていた。
【０００８】
本発明は上記実情に鑑みなされたもので、内部ディスプレイ装置以上の表示解像度をもつ外部ディスプレイ装置が接続可能な例えば携帯型の情報処理装置に於いて、内部ディスプレイ装置と画面サイズの異なる外部ディスプレイ装置に、外部ディスプレイ装置の仕様を変更することなく、歪みのない見易い画面表示が行える情報処理装置及び情報処理装置の表示制御方法を実現することを目的とする。
【０００９】
【課題を解決するための手段】
本発明は、内部ディスプレイ装置を備え、さらに外部ディスプレイ装置への出力機能を備えた情報処理装置に於いて、表示解像度が内部ディスプレイ装置よりも大きい画面解像度の外部ディスプレイ装置を接続したときに、内部ディスプレイ装置に表示されている表示画面の情報を外部ディスプレイ装置の任意の場所に表示して、内部ディスプレイに表示されている画面以外の部分については同一データまたは同一色を表示させることにより、内部ディスプレイの画面解像度と異なるサイズの解像度をもつ外部ディスプレイ装置を接続して歪みのない見易い画面表示ができる。
【００１０】
更に内部ディスプレイ装置に表示する内部ディスプレイ用表示メモリと外部ディスプレイ装置に表示する外部ディスプレイ用表示メモリとを別個に持ち、同一画面を表示する場合には内部ディスプレイ装置の表示メモリまたは外部ディスプレイ装置の表示メモリを使用して、また、別々の表示画面を表示させる場合には内部ディスプレイ装置には内部ディスプレイ用表示メモリの情報を表示し、外部ディスプレイ装置には外部ディスプレイ用メモリの情報を表示させることで、内部ディスプレイ装置と外部ディスプレイ装置に同一画面を表示する場合に、データの整合をとることを可能とする。
【００１２】
また、外部ディスプレイ装置を接続可能な情報処理装置に於いて、内部ディスプレイ装置より大きな画面（解像度) をもった外部ディスプレイ装置に内部ディスプレイ装置の画面を表示するときに、内部ディスプレイ装置の表示画面以外の外部ディスプレイ装置の表示領域に所定のデータ（例えば全て同一色）を表示することを特徴とする。
【００１４】
また、本発明は、内部ディスプレイ装置と、外部ディスプレイ装置との接続手段とを有してなる情報処理装置に於いて、前記外部ディスプレイ装置との接続手段に前記内部ディスプレイ装置の表示解像度よりも大きな解像度をもつ外部ディスプレイ装置が接続され、前記内部ディスプレイ装置にのみ表示データを表示する表示モードから前記内部ディスプレイ装置に表示される表示データを前記内部ディスプレイ装置および前記外部ディスプレイ装置に表示する表示モードへの切り換えに応じて、第１の記憶部に記憶され前記内部ディスプレイ装置に表示される表示データを第２の記憶部に記憶させ、前記第２の記憶部に記憶された表示データを前記内部ディスプレイ装置に表示される表示データの表示解像度で前記外部記憶装置に表示するとともに、前記外部ディスプレイ装置に表示される表示データの表示部分を除く前記外部ディスプレイ装置の表示領域に所定のデータを表示する制御手段を具備することを特徴とする
【００１６】
また、本発明は、内部ディスプレイ装置と外部ディスプレイ装置とを表示ドライブ制御可能な情報処理装置の表示制御方法であって、内部ディスプレイ装置の表示解像度よりも大きな解像度をもつ外部ディスプレイ装置が前記情報処理装置に接続され、前記内部ディスプレイ装置にのみ表示データを表示する表示モードから前記内部ディスプレイ装置に表示される表示データを前記内部ディスプレイ装置および前記外部ディスプレイ装置に表示する表示モードへの切り換えに応じて、第１の記憶部に記憶され前記内部ディスプレイ装置に表示される表示データを第２の記憶部に記憶させ、前記第２の記憶部に記憶された表示データを前記内部ディスプレイ装置に表示される表示データの表示解像度で前記外部記憶装置に表示するとともに、前記外部ディスプレイ装置に表示される表示データの表示部分を除く前記外部ディスプレイ装置の表示領域に所定のデータを表示することを特徴とする。
【００２９】
【発明の実施の形態】
以下図面を参照して本発明の実施形態を説明する。
図１は本発明の実施形態による携帯型情報処理装置の要部の構成を示すブロック図である。
【００３０】
図１に於いて、１０は装置全体の制御を司るＣＰＵである。１１はＣＰＵ１０の制御の下に内部ディスプレイ及び外部ディスプレイの表示制御を行う表示コントローラ（ＤＩＳＰ−ＣＯＮＴ）である。
【００３１】
１２及び１４はそれぞれ表示コントローラ（ＤＩＳＰ−ＣＯＮＴ）１１により表示ドライブ制御されるディスプレイ装置であり、１２は装置本体に設けられた内部ディスプレイ装置（ＩＮＴ−ＤＩＳＰ）、１４は装置本体に外部ディスプレイ接続用コネクタ（図２符号２１参照）を介して任意に接続される外部ディスプレイ装置（ＥＸＴ−ＤＩＳＰ）である。ここでは外部ディスプレイ装置（ＥＸＴ−ＤＩＳＰ）１４の表示解像度が内部ディスプレイ装置（ＩＮＴ−ＤＩＳＰ）１２の表示解像度よりも大きいものとする（図３，図４参照）。
【００３２】
１３、１５、及び１６はそれぞれ表示コントローラ（ＤＩＳＰ−ＣＯＮＴ）１１によりアクセス制御される表示メモリであり、１３は内部ディスプレイ用表示メモリ（ＩＮＴ−ＶＲＡＭ）、１５は外部ディスプレイ用表示メモリ（ＥＸＴ−ＶＲＡＭ）、１６は表示用のサブメモリ（Ｓｕｂ−ＭＥＭ）である。
【００３３】
図２は上記実施形態に適用される、外部ディスプレイ装置（ＥＸＴ−ＤＩＳＰ）１４が接続されているか否かを判別するための外部ディスプレイ接続検出機構の一例を示すブロック図である。
【００３４】
図中、２１は装置本体に外部ディスプレイ装置（ＥＸＴ−ＤＩＳＰ）１４を任意に接続可能にするための外部ディスプレイ接続用コネクタである。ＥＸ−ＳＤＰは外部ディスプレイ接続用コネクタ２１を介して表示コントローラ（ＤＩＳＰ−ＣＯＮＴ）１１から外部ディスプレイ装置（ＥＸＴ−ＤＩＳＰ）１４に送られる表示データである。ＥＸ−ＡＴは外部ディスプレイ接続用コネクタ２１から表示コントローラ（ＤＩＳＰ−ＣＯＮＴ）１１に入力される外部ディスプレイ接続確認信号であり、ここでは外部ディスプレイ装置（ＥＸＴ−ＤＩＳＰ）１４が外部ディスプレイ接続用コネクタ２１に接続されていないとき、ハイレベル（Ｖccレベル）、外部ディスプレイ装置（ＥＸＴ−ＤＩＳＰ）１４が外部ディスプレイ接続用コネクタ２１に接続されたとき、ロウレベル（接地レベル）となる。
【００３５】
図３及び図４はそれぞれ上記実施形態に於ける、外部ディスプレイ装置（ＥＸＴ−ＤＩＳＰ）１４に内部ディスプレイの表示データを表示する際の表示例を示す図であり、図３は内部ディスプレイ装置（ＩＮＴ−ＤＩＳＰ）１２の表示データ（Ａ）を外部ディスプレイ装置（ＥＸＴ−ＤＩＳＰ）１４に表示させ、更に外部ディスプレイ装置（ＥＸＴ−ＤＩＳＰ）１４の表示データ（Ａ）が表示されない表示領域（斜線で示す領域）に同一色または同一データを表示させた表示例を示し、図４は上記表示データ（Ａ）が表示されない表示領域（斜線で示す領域）にシステムに必要な表示情報を表示させた表示例を示している。
【００３６】
ここで本発明の実施形態に於ける動作を説明する。
先ず内部ディスプレイ装置（ＩＮＴ−ＤＩＳＰ）１２に表示データを表示する際の動作を説明する。
【００３７】
ＣＰＵ１０はコントローラ（ＤＩＳＰ−ＣＯＮＴ）１１を介して内部ディスプレイ用表示メモリ（ＩＮＴ−ＶＲＡＭ）１３に表示表示データを書き込む。
表示コントローラ（ＤＩＳＰ−ＣＯＮＴ）１１は内部ディスプレイ用表示メモリ（ＩＮＴ−ＶＲＡＭ）１３に貯えられた表示データを一定の周期で読み出し、内部ディスプレイ表示に必要な制御信号とともに内部ディスプレイ装置（ＩＮＴ−ＤＩＳＰ）１２に送出して、内部ディスプレイ装置（ＩＮＴ−ＤＩＳＰ）１２に表示データを表示出力する。
【００３８】
次に外部ディスプレイ装置（ＥＸＴ−ＤＩＳＰ）１４に表示データを表示する際の動作を説明する。
外部ディスプレイ装置（ＥＸＴ−ＤＩＳＰ）１４が外部ディスプレイ接続用コネクタ２１により装置本体に接続されると、表示コントローラ（ＤＩＳＰ−ＣＯＮＴ）１１は外部ディスプレイ表示モードになる。ここで外部ディスプレイ装置（ＥＸＴ−ＤＩＳＰ）１４が接続されたか否かは、例えば図２に示す外部ディスプレイ接続確認信号ＥＸ−ＡＴにより認識する。この例では、外部ディスプレイ装置（ＥＸＴ−ＤＩＳＰ）１４が外部ディスプレイ接続用コネクタ２１に接続されていないとき、外部ディスプレイ接続確認信号ＥＸ−ＡＴがハイレベル（Ｖccレベル）、外部ディスプレイ装置（ＥＸＴ−ＤＩＳＰ）１４が外部ディスプレイ接続用コネクタ２１に接続されたとき、外部ディスプレイ接続確認信号ＥＸ−ＡＴがロウレベル（接地レベル）となる。この外部ディスプレイ接続確認信号ＥＸ−ＡＴが表示コントローラ（ＤＩＳＰ−ＣＯＮＴ）１１に入力されることによって、表示コントローラ（ＤＩＳＰ−ＣＯＮＴ）１１は、外部ディスプレイ装置（ＥＸＴ−ＤＩＳＰ）１４が外部ディスプレイ接続用コネクタ２１に接続されたか否かを認識できる。この認識結果の情報はＣＰＵ１０に通知される。
【００３９】
ＣＰＵ１０は外部ディスプレイ接続用コネクタ２１に外部ディスプレイ装置（ＥＸＴ−ＤＩＳＰ）１４が接続されたことを認識すると、コントローラ（ＤＩＳＰ−ＣＯＮＴ）１１を介して外部ディスプレイ用表示メモリ（ＥＸＴ−ＶＲＡＭ）１５に表示表示データを書き込む。
【００４０】
表示コントローラ（ＤＩＳＰ−ＣＯＮＴ）１１は外部ディスプレイ用表示メモリ（ＥＸＴ−ＶＲＡＭ）１５に貯えられた表示データを一定の周期で読み出し、外部ディスプレイ表示に必要な制御信号とともに外部ディスプレイ接続用コネクタ２１を介し外部ディスプレイ装置（ＥＸＴ−ＤＩＳＰ）１４に送出して、外部ディスプレイ装置（ＥＸＴ−ＤＩＳＰ）１４に表示データを表示出力する。
【００４１】
次に、内部ディスプレイ装置（ＩＮＴ−ＤＩＳＰ）１２に表示している表示データを外部ディスプレイ装置（ＥＸＴ−ＤＩＳＰ）１４に表示出力する際の動作を説明する。
【００４２】
ＣＰＵ１０は、例えばユーザのコマンド入力により内部ディスプレイ装置（ＩＮＴ−ＤＩＳＰ）１２に表示している表示データを外部ディスプレイ装置（ＥＸＴ−ＤＩＳＰ）１４に表示出力する表示モード指定を認識すると、内部ディスプレイ用表示メモリ（ＩＮＴ−ＶＲＡＭ）１３の表示データを外部ディスプレイ用表示メモリ（ＥＸＴ−ＶＲＡＭ）１５にも書き込み、表示コントローラ（ＤＩＳＰ−ＣＯＮＴ）１１に同時表示モードを指示する。
【００４３】
表示コントローラ（ＤＩＳＰ−ＣＯＮＴ）１１は内部ディスプレイ用表示メモリ（ＩＮＴ−ＶＲＡＭ）１３に貯えられた表示データを一定の周期で読み出し、内内部ディスプレイ装置（ＩＮＴ−ＤＩＳＰ）１２に送出して、内部ディスプレイ装置（ＩＮＴ−ＤＩＳＰ）１２に表示データを表示出力するとともに、外部ディスプレイ用表示メモリ（ＥＸＴ−ＶＲＡＭ）１５に貯えられた表示データを一定の周期で読み出し、外部ディスプレイ接続用コネクタ２１を介して外部ディスプレイ装置（ＥＸＴ−ＤＩＳＰ）１４に送出して、外部ディスプレイ装置（ＥＸＴ−ＤＩＳＰ）１４に表示データを表示出力する。
【００４４】
この際の外部ディスプレイ装置（ＥＸＴ−ＤＩＳＰ）１４の表示例を図３、図４に示している。図３は内部ディスプレイ装置（ＩＮＴ−ＤＩＳＰ）１２の表示データ（Ａ）を外部ディスプレイ装置（ＥＸＴ−ＤＩＳＰ）１４に表示させ、更に外部ディスプレイ装置（ＥＸＴ−ＤＩＳＰ）１４の表示データ（Ａ）が表示されない表示領域（斜線で示す領域）に同一色または同一データを表示させた表示例を示している。また、図４は上記表示データ（Ａ）が表示されない表示領域（斜線で示す領域）にシステムに必要な表示情報を表示させた表示例を示している。
【００４５】
この図３、図４に示す表示例に於いて、外部ディスプレイ装置（ＥＸＴ−ＤＩＳＰ）１４の表示データ（Ａ）が表示されない表示領域（斜線で示す領域）には、表示用のサブメモリ（Ｓｕｂ−ＭＥＭ）１６に予め記憶されたデータが表示される。
【００４６】
このデータはＣＰＵ１０によって書き込まれるか、または予め所定のデータを書き込んでおくことで実現できる。上記表示データ（Ａ）が表示されない表示領域（斜線で示す領域）を同一色に表示させておくためには、表示用のサブメモリ（Ｓｕｂ−ＭＥＭ）１６に１ピクセル分のデータのみを記憶すれば表示が可能である。また特定の画面表示を行なう場合は、表示用のサブメモリ（Ｓｕｂ−ＭＥＭ）１６内に特定画面のデータを記憶させておくことで実現できる。また、外部ディスプレイ装置（ＥＸＴ−ＤＩＳＰ）１４へ出力するための外部ディスプレイ用表示メモリ（ＥＸＴ−ＶＲＡＭ）１５、または内部ディスプレイ装置（ＩＮＴ−ＤＩＳＰ）１２に表示するための内部ディスプレイ用表示メモリ（ＩＮＴ−ＶＲＡＭ）１３内に、上記サブメモリを埋め込むことで、サブメモリ（Ｓｕｂ−ＭＥＭ）１６を無くすことも可能である。
【００４７】
この発明の第２の実施形態として、外部ディスプレイ装置（ＥＸＴ−ＤＩＳＰ）１４への出力を行なっていない場合に、外部ディスプレイ用表示メモリ（ＥＸＴ−ＶＲＡＭ）１５を別の用途に使用することも可能である。
【００４８】
例えば、情報処理装置のメインメモリや、内部ディスプレイ装置（ＩＮＴ−ＤＩＳＰ）１２の補助メモリとして使用することができる。また、外部ディスプレイ装置（ＥＸＴ−ＤＩＳＰ）１４への表示のみを行なっている場合には、内部ディスプレイ用表示メモリ（ＩＮＴ−ＶＲＡＭ）１３をメインメモリや外部ディスプレイ用表示メモリ（ＥＸＴ−ＶＲＡＭ）１５の補助メモリとして使用することも可能である。この際の補助メモリの使用例を図５に示す。
【００４９】
内部ディスプレイ装置（ＩＮＴ−ＤＩＳＰ）１２の補助メモリとして、外部ディスプレイ用表示メモリ（ＥＸＴ−ＶＲＡＭ）１５を用いるときに、内部ディスプレイ装置（ＩＮＴ−ＤＩＳＰ）１２に表示メモリを２プレーン（表示メモリＡ，表示メモリＢ）持つ方法をとる。内部ディスプレイ装置（ＩＮＴ−ＤＩＳＰ）１２へ表示データを出力する場合、定期的に表示メモリのデータを内部ディスプレイ装置（ＩＮＴ−ＤＩＳＰ）１２へ出力しなければならないため、特別なメモリを使用しない限り、表示データを読み込んでいるときには、画面の表示データを書き込むことができない。例えば図５に於いて、表示メモリＡに表示データ（aa）を書き込んでいるときには、表示メモリＡからはデータ（aa）の読み込みができず、また、表示メモリＡから一定の周期でデータ（aa）を読み出して内部ディスプレイ装置（ＩＮＴ−ＤＩＳＰ）１２へ出力している。このため、表示の描画速度を上げるためには、表示メモリへのデータの書き込み速度を上げる必要がある。つまり表示データを書き込む速度が速ければ速いほど、画面の描画速度は向上する。
【００５０】
そこで、図５に示すように、表示画面を２プレーン（表示メモリＡ，表示メモリＢ）持ち、表示メモリＡに表示データを書き込んでいるときには、表示メモリＢから表示データを読み込み、表示メモリＢへ表示データを書き込んでいるときには表示メモリＡからデータを読み込めば、表示メモリからデータを読み込んでいるときにも表示メモリへデータを書き込むことができ、描画速度が上げられる。このように各表示メモリの読み込みと書き込みを交互に行なうことで高速な表示データの描画が可能となる。
【００５１】
ここで、表示メモリＡを内部ディスプレイ用表示メモリ、表示メモリＢを外部ディスプレイ用表示メモリとすることで、内部、外部双方のディスプレイ装置に同時表示していないときには、描画速度を向上させることが可能である。勿論その他の用途として補助メモリを使用して描画速度を向上させることも可能である。
【００５２】
また、更に図７に示すように、内部または外部の片方のディスプレイ装置にしか出力していない状態で、表示用メモリを補助メモリとして使用しない場合には各表示メモリに備える電源制御回路（ＰＳＣ）の動作電源供給制御スイッチをオフ（ＯＦＦ）にして、消費電力を低減することも可能である。
【００５３】
次に本発明の第３の実施形態を図６に示すブロック図を参照して説明する。
表示メモリ（ＤＩＳＰ−ＭＥＭ）３２には、外部ディスプレイ装置（ＥＸＴ−ＤＩＳＰ）１４が接続されていないとき、前記内部ディスプレイ用表示メモリ（ＩＮＴ−ＶＲＡＭ）１３と同様に、ＣＰＵ１０からの表示データが表示コントローラ（ＤＩＳＰ−ＣＯＮＴ）１１を介して書き込まれる。更に表示メモリ（ＤＩＳＰ−ＭＥＭ）３２に貯えられた表示データが表示コントローラ（ＤＩＳＰ−ＣＯＮＴ）１１によって一定周期で読み出され、内部ディスプレイ装置（ＩＮＴ−ＤＩＳＰ）１２に表示される。
【００５４】
外部ディスプレイ装置（ＥＸＴ−ＤＩＳＰ）１４が接続されると、表示コントローラ（ＤＩＳＰ−ＣＯＮＴ）１１は表示メモリ（ＤＩＳＰ−ＭＥＭ）３２に貯えられた表示データを外部ディスプレイ装置（ＥＸＴ−ＤＩＳＰ）１４に出力して表示する。
【００５５】
ここで、外部ディスプレイ装置（ＥＸＴ−ＤＩＳＰ）１４の表示解像度が内部ディスプレイ装置（ＩＮＴ−ＤＩＳＰ）１２の画面解像度よりも大きい場合に、内部ディスプレイ装置（ＩＮＴ−ＤＩＳＰ）１２の表示解像度分の表示データについては表示メモリ（ＤＩＳＰ−ＭＥＭ）３２からのデータを表示して、その他の表示領域についてはサブメモリ（Ｓｕｂ−ＭＥＭ）３３に貯えられたデータを表示させる。これにより、外部ディスプレイ用の表示メモリと内部ディスプレイ用の表示メモリとの両方の表示メモリを使うことなく表示解像度の異なる外部ディスプレイ装置（ＥＸＴ−ＤＩＳＰ）１４に表示が可能となる。
【００５６】
この際も外部ディスプレイ装置（ＥＸＴ−ＤＩＳＰ）１４へ出力するための表示メモリ内に、サブメモリを埋め込むことでサブメモリ（Ｓｕｂ−ＭＥＭ）３３を無くすことも可能である。又は、表示コントローラ（ＤＩＳＰ−ＣＯＮＴ）１１内にサブメモリを埋め込むことでサブメモリ（Ｓｕｂ−ＭＥＭ）３３を無くすことも可能である。
尚、上記した各実施形態は内部ディスプレイ装置と外部ディスプレイ装置への出力機能を備えた、各種の情報処理装置に適用できる。
【００５７】
【発明の効果】
以上詳記したように本発明によれば、内部ディスプレイ装置以上の表示解像度をもつ外部ディスプレイ装置が接続可能な例えば携帯型の情報処理装置に於いて、内部ディスプレイ装置と画面サイズの異なる外部ディスプレイ装置に、外部ディスプレイ装置の仕様を変更することなく、歪みのない見易い画面表示が行える情報処理装置及び情報処理装置の表示制御方法が実現できる。
【００５８】
また、内部ディスプレイ装置と、外部ディスプレイ装置に表示可能な外部ディスプレイ接続端子を備えた携帯型情報処理装置に於いて、表示解像度が内部ディスプレイ装置の表示解像度よりも大きい外部ディスプレイ装置を接続し、内部ディスプレイ装置に表示している表示データと同一の表示データを外部ディスプレイ装置に表示する場合に、表示データの表示位置を外部ディスプレイ装置上の任意の場所に設定することができ、内部ディスプレイ装置の表示データ表示領域部分以外の表示領域に、上記表示データとは別の内容（例えば同一色，模様等）を表示させることで、内部ディスプレイ装置と表示解像度の違う外部ディスプレイ装置を表示することが可能となる。
【図面の簡単な説明】
【図１】本発明の第１実施形態による携帯型情報処理装置の要部の構成を示すブロック図。
【図２】上記実施形態に適用される、外部ディスプレイ装置が接続されているか否かを判別するための外部ディスプレイ接続検出機構の一例を示すブロック図。
【図３】上記実施形態に於ける、外部ディスプレイ装置に内部ディスプレイの表示データを表示する際の表示例を示す図。
【図４】上記実施形態に於ける、外部ディスプレイ装置に内部ディスプレイの表示データを表示する際の表示例を示す図。
【図５】本発明の第２実施形態を説明するための補助メモリの使用例を示す図。
【図６】本発明の第３の実施形態に於ける要部の構成を示すブロック図。
【図７】本発明の実施形態に適用される消費電力低減手段を示すブロック図。
【図８】本発明で対象とする携帯型情報処理装置の外部ディスプレイ接続例を示す図。
【符号の説明】
１０…ＣＰＵ、
１１…表示コントローラ（ＤＩＳＰ−ＣＯＮＴ）、
１２…内部ディスプレイ装置（ＩＮＴ−ＤＩＳＰ）、
１３…内部ディスプレイ用表示メモリ（ＩＮＴ−ＶＲＡＭ）、
１４…外部ディスプレイ装置（ＥＸＴ−ＤＩＳＰ）、
１５…外部ディスプレイ用表示メモリ（ＥＸＴ−ＶＲＡＭ）、
１６…表示用のサブメモリ（Ｓｕｂ−ＭＥＭ）、
２１…外部ディスプレイ接続用コネクタ、
３２…表示メモリ（ＤＩＳＰ−ＭＥＭ）、
３３…サブメモリ（Ｓｕｂ−ＭＥＭ）。
【図１】
0004118369.tif 000002
【図２】
0004118369.tif 000003
【図３】
0004118369.tif 000004
【図４】
0004118369.tif 000005
【図５】
0004118369.tif 000006
【図６】
0004118369.tif 000007
【図７】
0004118369.tif 000008
【図８】
0004118369.tif 000009